(57)【要約】【課題】レバー操作性の向上を図ることが可能なコネクタを提供する。【解決手段】本発明のコネクタ１は、第２のハウジング３の挿抜方向に対して寝た姿勢の非ロック位置と、第２のハウジング３の挿抜方向に立った姿勢のロック位置と、の間を旋回可能なレバー４を備え、レバー４には、第２のハウジング３の挿入が完了する前に、隣接する第１のハウジング２の開口の縁２３と接触してレバー４をロック位置に近づける突出部４３が設けられる。【選択図】図２
2015011978.tif 000002
【特許請求の範囲】
【請求項１】
第１のハウジングと、
前記第１のハウジングに挿入される第２のハウジングと、
前記第２のハウジングの外面に設けられた軸部を中心に、前記第２のハウジングの挿抜方向に対して寝た姿勢の非ロック位置と、前記第２のハウジングの挿抜方向に立った姿勢のロック位置と、の間を旋回可能なレバーと、
を備え、
前記第１のハウジングと前記レバーの一方には、前記第２のハウジングの挿入が完了する前に他方と接触して前記レバーを前記ロック位置に近づける突出部が設けられる、
ことを特徴とするコネクタ。
【請求項２】
前記レバーに、旋回方向の前記第１のハウジングに近い側に突出した前記突出部が設けられる、
請求項１に記載のコネクタ。
【請求項３】
複数の前記第１のハウジングが並列し、
複数の前記第１のハウジングのうち、前記第２のハウジングが挿入される第１のハウジングに隣接する第１のハウジングの開口の縁に、前記突出部が接触する、
請求項２に記載のコネクタ。
【請求項４】
前記レバーは、
前記第２のハウジングを挟むよう配置される一対のアーム部と、
前記一対のアーム部の先端部の間に架け渡されたブリッジ部と、
を備え、
前記突出部は、前記一対のアーム部の一方に設けられる、
請求項３に記載のコネクタ。
【請求項５】
前記レバーは、
前記第２のハウジングを挟むよう配置される一対のアーム部と、
前記一対のアーム部の先端部の間に架け渡されたブリッジ部と、
を備え、
前記ブリッジ部のうち、旋回方向の前記第１のハウジングから離れた側に、半径方向に張り出した指掛部が設けられる、
請求項１に記載のコネクタ。
【請求項６】
前記レバーには、前記第１のハウジングの外面に設けられた係止片と係合する係止溝が形成され、
前記第２のハウジングの挿入が完了したときの前記レバーの位置において、前記係止片が前記係止溝から前記第２のハウジングの挿抜方向に抜出可能である、
請求項１に記載のコネクタ。
【請求項７】
前記第２のハウジングと前記レバーには、前記レバーが前記非ロック位置のときに互いに係合し、前記レバーの前記ロック位置へ向かう旋回を規制する係止片がそれぞれ設けられ、
前記第２のハウジングが挿入される際の前記突出部の接触により、前記係止片が互いを乗り越えて、前記レバーが前記ロック位置に近づく、
請求項１に記載のコネクタ。
【発明の詳細な説明】
【技術分野】
【０００１】
本発明はコネクタに関し、特にはロックのためのレバーを備えるコネクタに関する。
【背景技術】
【０００２】
特許文献１及び２には、凹型のハウジングに挿入される凸型のハウジングに設けられたレバーが、凸型のハウジングの挿抜方向に対して寝た姿勢の非ロック位置と、凸型のハウジングの挿抜方向に立った姿勢のロック位置と、の間を旋回可能であることが記載されている。
【先行技術文献】
【特許文献】
【０００３】
【特許文献１】特開２００３−１５１６８３号公報
【特許文献２】特開２００１−１８５２８３号公報
【発明の概要】
【発明が解決しようとする課題】
【０００４】
しかしながら、上記背景技術では、非ロック位置におけるレバーが凹型のハウジング及びその周囲物に近いことから、レバーに指を掛けることが困難な場合がある。特に、上記背景技術のように凹型のハウジングが複数並んでいる場合、挿入対象ではない凹型のハウジングの端子に指を触れてしまうおそれがある。
【０００５】
本発明は、上記課題に鑑みてなされたものであって、その目的は、レバー操作性の向上を図ることが可能なコネクタを提供することにある。
【課題を解決するための手段】
【０００６】
上記課題を解決するため、本発明のコネクタは、第１のハウジングと、前記第１のハウジングに挿入される第２のハウジングと、レバーと、を備える。前記レバーは、前記第２のハウジングの外面に設けられた軸部を中心に、前記第２のハウジングの挿抜方向に対して寝た姿勢の非ロック位置と、前記第２のハウジングの挿抜方向に立った姿勢のロック位置と、の間を旋回可能である。前記第１のハウジングと前記レバーの一方には、前記第２のハウジングの挿入が完了する前に他方と接触して前記レバーを前記ロック位置に近づける突出部が設けられる。
【０００７】
また、本発明の一態様では、前記レバーに、旋回方向の前記第１のハウジングに近い側に突出した前記突出部が設けられる。
【０００８】
また、本発明の一態様では、複数の前記第１のハウジングが並列し、複数の前記第１のハウジングのうち、前記第２のハウジングが挿入される第１のハウジングに隣接する第１のハウジングの開口の縁に、前記突出部が接触する。
【０００９】
また、本発明の一態様では、前記レバーは、前記第２のハウジングを挟むよう配置される一対のアーム部と、前記一対のアーム部の先端部の間に架け渡されたブリッジ部と、を備え、前記突出部は、前記一対のアーム部の一方に設けられる。
【００１０】
また、本発明の一態様では、前記レバーは、前記第２のハウジングを挟むよう配置される一対のアーム部と、前記一対のアーム部の先端部の間に架け渡されたブリッジ部と、を備え、前記ブリッジ部のうち、旋回方向の前記第１のハウジングから離れた側に、半径方向に張り出した指掛部が設けられる。
【００１１】
また、本発明の一態様では、前記レバーには、前記第１のハウジングの外面に設けられた係止片と係合する係止溝が形成され、前記第２のハウジングの挿入が完了したときの前記レバーの位置において、前記係止片が前記係止溝から前記第２のハウジングの挿抜方向に抜出可能である。
【００１２】
また、本発明の一態様では、前記第２のハウジングと前記レバーには、前記レバーが前記非ロック位置のときに互いに係合し、前記レバーの前記ロック位置へ向かう旋回を規制する係止片がそれぞれ設けられ、前記第２のハウジングが挿入される際の前記突出部の接触により、前記係止片が互いを乗り越えて、前記レバーが前記ロック位置に近づく。
【発明の効果】
【００１３】
本発明によると、第２のハウジングが挿入される際に突出部の接触によってレバーがロック位置に近づくので、レバーに指を掛けることが容易になると共に、レバーが操作される距離を短縮することが可能である。
【図面の簡単な説明】
【００１４】
【図１Ａ】本発明の一実施形態に係るコネクタの斜視図である。
【図１Ｂ】同コネクタの斜視図である。
【図１Ｃ】同コネクタの斜視図である。
【図２】同コネクタの側面図である。
【図３】同コネクタに含まれる第２のハウジング及びレバーの側面図である。
【図４Ａ】同コネクタのレバーの斜視図である。
【図４Ｂ】同コネクタのレバーの正面図である。
【図４Ｃ】同コネクタのレバーの断面図である。
【図５Ａ】本発明の他の実施形態に係るコネクタの斜視図である。
【図５Ｂ】本発明の他の実施形態に係るコネクタの斜視図である。
【発明を実施するための形態】
【００１５】
本発明の実施形態に係るコネクタを、図面を参照しながら説明する。
【００１６】
図１Ａ〜図１Ｃは、本発明の一実施形態に係るコネクタ１の斜視図である。図２は、コネクタ１の側面図である。このうち、図１Ａは第２のハウジング３の挿入開始前の状態を示しており、図１Ｂ及び図２は第２のハウジング３の挿入完了時の状態を示しており、図１Ｃは第２のハウジング３の挿入完了後にレバー４がロック位置Ｌまで旋回した状態を示している。図３は、コネクタ１に含まれる第２のハウジング３及びレバー４の側面図である。この図３は、レバー４が非ロック位置Ｕにある状態を示している。図４Ａ〜図４Ｃは、レバー４の斜視図、正面図及び断面図である。
【００１７】
ここで、図１Ａ〜図３中の実線矢印ｉｄは、第２のハウジング３の挿抜方向を示している。挿抜方向ｉｄのうち、ｉが挿入側であり、ｄが抜出側である。また、図１Ａ〜図３中の実線矢印ｋと実線矢印ｗは、挿抜方向ｉｄと直交する、第１のハウジング２の長辺方向と短辺方向を示している。また、図１Ｃ及び図３中の一点鎖線矢印は、レバー４の旋回方向を示している。
【００１８】
コネクタ１は、複数の凹型の第１のハウジング２と、第１のハウジング２に挿入される複数の凸型の第２のハウジング３と、各々の第２のハウジング３に旋回可能に支持されるレバー４と、各々の第２のハウジング３に取り付けられるカバー５と、を備えている。図１Ａ〜図２では、１つの第２のハウジング３のみを示している。図３では、カバー５が取り外されたときの第２のハウジング３及びレバー４を示している。
【００１９】
第１のハウジング２は、矩形筒状の外郭部２１を備えており、外郭部２１の内側には、抜出側ｄに延伸する複数の端子２９が保持されている。外郭部２１は、短辺方向ｗに対向し、長辺方向ｋに延伸する一対の長板部２１１と、長辺方向ｋに対向し、短辺方向ｗに延伸する一対の短板部２１２と、を備えている。外郭部２１には、抜出側ｄに向かって開放された開口２ａが形成されており、開口２ａの縁２３は、長辺方向ｋと短辺方向ｗを含む平面内で矩形枠状になっている。
【００２０】
外郭部２１の長板部２１１の内周面には、挿抜方向ｉｄに延伸する凸条部２５が設けられている。外郭部２１の長板部２１１の外周面には、レバー４と係止するための係止片２７が設けられている。係止片２７は、略円板状の大径部２７１と、長板部２１１と大径部２７１の間に位置する、大径部２７１よりも小径の小径部２７３と、を備えている（図２を参照）。
【００２１】
複数の第１のハウジング２は、長辺方向ｋに並列している。本実施形態では、２つの第１のハウジング２が長辺方向ｋに隣接しているが、これに限られず、３以上の第１のハウジング２が長辺方向ｋに並列してもよい。
【００２２】
第２のハウジング３は、第１のハウジング２に挿入される矩形柱状の挿入部３１を備えており、挿入部３１の内側には、不図示の複数の端子が保持されている（図３を参照）。挿入部３１が第１のハウジング２に挿入されるとき、挿入部３１に保持された不図示の端子が、第１のハウジング２に保持された端子２９に接触する。挿入部３１に保持された不図示の端子は、第２のハウジング３から延出するワイヤーハーネス９に接続されている。
【００２３】
第２のハウジング３には、挿入部３１を囲むように位置する矩形筒状のカバー５が取り付けられている。挿入部３１が第１のハウジング２に挿入されると、カバー５は第１のハウジング２を囲むように位置する。すなわち、挿入部３１が第１のハウジング２に挿入されると、第１のハウジング２は挿入部３１とカバー５の隙間に挿入される。
【００２４】
挿入部３１の外周面のうち、第１のハウジング２の凸条部２５に対応する位置には、挿抜方向ｉｄに延伸する凹条部３１ｄが設けられている。挿入部３１が第１のハウジング２に挿入されるとき、凹条部３１ｄに第１のハウジング２の凸条部２５が嵌まり、挿入部３１が挿抜方向ｉｄに案内される。
【００２５】
挿入部３１の抜出側ｄには、ワイヤーハーネス９の接続部分を囲む背面カバー３３が配置されている。背面カバー３３は、長辺方向ｋの片方の側に開放されており、ワイヤーハーネス９は、背面カバー３３から長辺方向ｋの片方の側かつ挿抜方向ｉｄの抜出側ｄに向かって延出している。
【００２６】
背面カバー３３の抜出側ｄには、レバー４をロック位置Ｌに留めるための、抜出側ｄに突出する係止片３５が設けられている。また、挿入部３１と背面カバー３３の間には、レバー４を非ロック位置Ｕに留めるための係止片３３１が設けられている（図３を参照）。係止片３３１は、長辺方向ｋの他方の側の端部で、短辺方向ｗの両側に設けられている。
【００２７】
挿入部３１と背面カバー３３の間には、レバー４を旋回可能に支持するための、短辺方向ｗに突出する軸部３７が設けられている。軸部３７は、長辺方向ｋの中央部で、短辺方向ｗの両側に設けられている。軸部３７の先端部は、挿抜方向ｉｄに張り出して略Φ字状になっている。
【００２８】
レバー４は、第２のハウジング３に設けられた軸部３７を中心に非ロック位置Ｕとロック位置Ｌとの間を旋回可能となっており、嵌合した第１のハウジング２と第２のハウジング３を互いに固定するために用いられる。レバー４は、正面視では略Ｕ字状になっており（図４Ｂを参照）、側面視では略Ｌ字状になっている（図４Ｃを参照）。
【００２９】
レバー４は、互いに平行に延伸する一対の板状のアーム部４１を備えている。一対のアーム部４１は、第２のハウジング３を挟むよう配置されている。アーム部４１の基端部には、第２のハウジング３の軸部３７が挿入される軸穴４０ａが形成されている。軸穴４０ａは、軸部３７の先端部が挿入可能なよう略Φ字状になっている。
【００３０】
一対のアーム部４１の先端部の間には、板状のブリッジ部４４が架け渡されている。ブリッジ部４４は、軸穴４０ａを中心とする半径方向と直交するように配置されている。アーム部４１の先端部は、ブリッジ部４４よりも半径方向の先端側に突出している。
【００３１】
ブリッジ部４４のうち、旋回方向の非ロック位置Ｕに近い側（すなわち、第１のハウジング２に近い側）には、半径方向の基端側に突出した係止片４４１が設けられている。係止片４４１は、第２のハウジング３の係止片３５と噛み合うことで、レバー４をロック位置Ｌに留める。
【００３２】
ブリッジ部４４のうち、旋回方向のロック位置Ｌに近い側（すなわち、第１のハウジング２から離れた側）には、半径方向の先端側に張り出した板状の指掛部４５が設けられている。指掛部４５は、旋回方向と直交するように配置されており、アーム部４１の先端部とも連続している。指掛部４５には、レバー４を操作する操作者の指が掛けられる。
【００３３】
一対のアーム部４１の片方の先端部には、旋回方向の非ロック位置Ｕに近い側（すなわち、第１のハウジング２に近い側）に突出する突出部４３が設けられている。突出部４３は、アーム部４１とブリッジ部４４が連結される部分に設けられている。
【００３４】
突出部４３は、相手方と接触する部分である接触部４３２と、接触部４３２の半径方向の先端側に設けられた、旋回方向に沿って直線的に延伸する２本の補強部４３１，４３３と、を備えている。２本の補強部４３１，４３３の間には、旋回方向に沿って直線的に延伸する溝４３ａが設けられている。接触部４３２は、ブリッジ部４４と同一面内に連続しており、補強部４３１は、アーム部４１と同一面内に連続している。
【００３５】
接触部４３２の半径方向の先端側に補強部４３１，４３３が設けられることで、接触部４３２の剛性を向上させることが可能である。また、補強部４３１，４３３を溝４３ａを隔てて幅方向に分けることで、接触部４３２の接触幅を広げることが可能である。
【００３６】
アーム部４１の延伸方向の中途には、レバー４を非ロック位置Ｕに留めるための係止部４７が設けられている。係止部４７は、旋回方向に沿って直線的に延伸する帯状の弾性梁４７１と、弾性梁４７１の内側（すなわち、第２のハウジング３がある側）に突出する係止片４７３と、を備えている。弾性梁４７１は、アーム部４１から半径方向に切り離されており、板厚方向に弾性変形可能である。係止片４７３は、第２のハウジング３の係止片３３１と噛み合うことで、レバー４を非ロック位置Ｕに留める。
【００３７】
さらに、レバー４は、軸穴４０ａを中心とする半径方向のうち、アーム部４１の延伸方向と異なる方向に向かって突出する板状の作用部４２を備えている。本実施形態では、作用部４２は、突出部４３と同じ方向、すなわちアーム部４１の延伸方向と直交する方向に突出している。作用部４２は、アーム部４１の延伸方向と直交する方向に突出部４３よりも突出している。
【００３８】
作用部４２には、第１のハウジング２に設けられた係止片２７と係合するスリット状の係止溝４２ａが設けられている。係止片２７は、係止溝４２ａに沿った方向に案内されると共に、それ以外の方向への移動が規制される。係止溝４２ａは、作用部４２の先端部から、軸穴４０ａを挟んだアーム部４１とは反対側へ湾曲しながら延伸している。係止溝４２ａは、作用部４２の先端部から離れるに従って軸穴４０ａに徐々に近づく軌道を有している。
【００３９】
具体的には、作用部４２は、外側部４２１、中間部４２２及び内側部４２３を含む３層構造を有している。このうち、外側部４２１及び中間部４２２は、係止溝４２ａの一部を形成する案内縁４２７を有しており、この案内縁４２７には、第１のハウジング２に設けられた係止片２７の大径部２７１が嵌まる。また、内側部４２３は、係止溝４２ａの他部を形成する案内縁４２８を有しており、この案内縁４２８には、第１のハウジング２に設けられた係止片２７の小径部２７３が嵌まる。
【００４０】
中間部４２２及び内側部４２３のうち、作用部４２の先端部では、第１のハウジング２に設けられた係止片２７を係止溝４２ａに受け入れるための受入縁４２５，４２６が設けられている。受入縁４２５，４２６は、作用部４２の突出方向に沿って延伸しており、案内縁４２７，４２８とそれぞれ連続している。
【００４１】
外側部４２１のうち、作用部４２の先端部では、作用部４２の内側（すなわち、第２のハウジング３がある側）に突出する突起部４２９が設けられている。第１のハウジング２に設けられた係止片２７の大径部２７１は、受入縁４２５と突起部４２９の隙間を通って係止溝４２ａの内側に進入する。
【００４２】
レバー４は、軸穴４０ａに挿入される第２のハウジング３の軸部３７を中心に、非ロック位置Ｕとロック位置Ｌとの間を旋回可能である（図１Ａ〜図３を参照）。
【００４３】
非ロック位置Ｕにおいて、レバー４は、挿抜方向ｉｄに対して寝た姿勢となる。より詳しくは、非ロック位置Ｕにおいて、レバー４のアーム部４１の延伸方向が、挿抜方向ｉｄと直交する長辺方向ｋに比較的近くなる。本実施形態では、非ロック位置Ｕにおいて、アーム部４１の延伸方向が、挿抜方向ｉｄと直交する長辺方向ｋと平行である。また、非ロック位置Ｕにおいて、アーム部４１の先端部は、長辺方向ｋのうち、背面カバー３３からワイヤーハーネス９が延出する側とは反対側に位置している。また、非ロック位置Ｕにおいて、レバー４の作用部４２は、挿入側ｉに突出している。
【００４４】
ロック位置Ｌにおいて、レバー４は、挿抜方向ｉｄに立った姿勢となる。より詳しくは、ロック位置Ｌにおいて、レバー４のアーム部４１の延伸方向が、挿抜方向ｉｄに比較的近くなる。本実施形態では、ロック位置Ｌにおいて、アーム部４１の延伸方向が、挿抜方向ｉｄと平行である。また、ロック位置Ｌにおいて、アーム部４１の先端部は、抜出側ｄに位置している。また、ロック位置Ｌにおいて、レバー４の作用部４２は、長辺方向ｋのうち、背面カバー３３からワイヤーハーネス９が延出する側とは反対側に突出している。
【００４５】
以下、第２のハウジング３が第１のハウジング２に挿入され、レバー４により固定される一連の動作について説明する。
【００４６】
第２のハウジング３の挿入前において、レバー４は非ロック位置Ｕにある（図１Ａ及び図３を参照）。すなわち、レバー４のアーム部４１の延伸方向は、挿抜方向ｉｄと直交する長辺方向ｋと平行になっており、アーム部４１の先端部に設けられた突出部４３は、挿入側ｉに突出している。また、レバー４の作用部４２も挿入側ｉに突出しており、受入縁４２５と突起部４２９の隙間は挿入側ｉに向かって開放されている。本実施形態では、受入縁４２５，４２６の延伸方向は、挿入側ｉに向かうに従って挿抜方向ｉｄから離れるようにやや傾斜している。
【００４７】
第２のハウジング３は、レバー４が非ロック位置Ｕにある状態で、第１のハウジング２に向かって挿入側ｉに相対的に移動し、挿入を開始する（図１Ａを参照）。
【００４８】
第２のハウジング３の挿入中において、第１のハウジング２の係止片２７は、レバー４の作用部４２に設けられた受入縁４２５と突起部４２９の隙間を通って、係止溝４２ａの内側に進入する（図３を参照）。さらに、レバー４の突出部４３は、第２のハウジング３を挿入中の第１のハウジング２と隣接する第１のハウジング２の開口２ａの縁２３に接触する（図１Ｂを参照）。
【００４９】
本実施形態では、レバー４の突出部４３は、第２のハウジング３を挿入中の第１のハウジング２に対して、長辺方向ｋのうちアーム部４１の先端部が位置する側に隣接する第１のハウジング２の開口２ａの縁２３に接触する。具体的には、レバー４の突出部４３は、隣接する第１のハウジング２の開口２ａの縁２３のうち、短辺方向ｗに対向し、長辺方向ｋに延伸する一対の辺部の片方と接触する。
【００５０】
そして、レバー４の突出部４３は、第２のハウジング３を挿入する力に対する反作用の力を、隣接する第１のハウジング２の開口２ａの縁２３から受ける。この反作用の力は、レバー４をロック位置Ｌに向けて旋回させる方向に働く。
【００５１】
レバー４が非ロック位置Ｕにある状態では、第２のハウジング３に設けられた係止片３３１と、レバー４に設けられた係止片４７３とが互いに係合して、レバー４のロック位置Ｌへ向かう旋回が規制されているが（図３を参照）、上記反作用の力がレバー４に働くと、係止片３３１，４７３が互いを乗り越えて、レバー４はロック位置Ｌに向かう方向に旋回を開始する。
【００５２】
そして、第２のハウジング３の挿入が完了したとき、レバー４は、隣接する第１のハウジング２の開口２ａの縁２３によって抜出側ｄに押された結果、非ロック位置Ｕとロック位置Ｌの間の中間位置Ｐまで移動する（図１Ｂ及び図２を参照）。中間位置Ｐは、第２のハウジング３の挿入が完了した状態で、レバー４の突出部４３が、隣接する第１のハウジング２の開口２ａの縁２３に接触する位置である。
【００５３】
このように、第２のハウジング３の挿入が完了したときにレバー４が中間位置Ｐまで移動し、隣接する第１のハウジング２の開口２ａの縁２３と、レバー４の指掛部４５との間隔が大きくなることによって、レバー４の指掛部４５に指を掛けることが容易になると共に、レバー４が操作される距離を短縮することが可能である。特に、隣接する第１のハウジング２に保持された端子２９に指が触れてしまうことを抑制することが可能である。これらの結果、レバー４の操作性の向上が実現する。
【００５４】
また、本実施形態では、レバー４が中間位置Ｐにあるときに、受入縁４２５，４２６の延伸方向が挿抜方向ｉｄと平行になる。すなわち、レバー４が中間位置Ｐにあるときも、第１のハウジング２の係止片２７は、レバー４の作用部４２に設けられた受入縁４２５と突起部４２９の隙間を通過することが可能である。
【００５５】
なお、第２のハウジング３に設けられた係止片３３１と、レバー４に設けられた係止片４７３との係合の程度や、係止片３３１を保持する弾性梁４７１の弾性の程度などに依っては、上記反作用の力がレバー４に働いて係止片３３１，４７３が互いを乗り越えたときに、その勢いでレバー４が中間位置Ｐよりも更にロック位置Ｌに近い位置Ｎまで回転する場合もある（図２を参照）。この場合、隣接する第１のハウジング２の開口２ａの縁２３と、レバー４の指掛部４５との間隔がさらに大きくなるので、レバー４の操作性を更に向上させることが可能である。
【００５６】
第２のハウジング３の挿入が完了した後、操作者は、中間位置Ｐまで移動したレバー４の指掛部４５に指を掛けて、レバー４を中間位置Ｐからロック位置Ｌまで旋回させる（図１Ｃを参照）。これにより、第１のハウジング２と第２のハウジング３が互いに固定される。すなわち、レバー４がロック位置Ｌまで旋回することで、第１のハウジング２の係止片２７は、レバー４の係止溝４２ａの奥に保持されて、挿抜方向ｉｄへの移動が規制される。
【００５７】
本実施形態では、指掛部４５は、レバー４の旋回方向のロック位置Ｌに近い側（すなわち、第１のハウジング２から離れた側）に位置しているため、レバー４を操作する操作者の指をより第１のハウジング２から遠ざけることが可能である。これにより、隣接する第１のハウジング２に保持された端子２９に指が触れてしまうことを更に抑制することが可能である。
【００５８】
なお、レバー４をロック位置Ｌから中間位置Ｐまで戻せば、第２のハウジング３を第１のハウジング２から抜出することが可能である。上述したように、レバー４が中間位置Ｐにあるとき、受入縁４２５，４２６の延伸方向が挿抜方向ｉｄと平行になるので、第１のハウジング２の係止片２７は、レバー４の作用部４２に設けられた受入縁４２５と突起部４２９の隙間を通って、係止溝４２ａの内側から抜出可能である。
【００５９】
図５Ａ及び図５Ｂは、本発明の他実施形態に係るコネクタ１の斜視図である。上記実施形態と重複する構成については、同番号を付すことで詳細な説明を省略する。
【００６０】
図５Ａの例では、両方のアーム部４１の先端部に突出部４３が設けられており、２つの突出部４３の間には、切り欠き４３ｂが形成されている。突出部４３は、ブリッジ部４４と同一面内に連続する接触部４３５と、アーム部４１と同一面内に連続する補強部４３４と、を備えている。２つの突出部４３は、隣接する第１のハウジング２の開口２ａの縁２３のうち、短辺方向ｗに対向し、長辺方向ｋに延伸する両方の辺部と接触する。なお、図５Ｂの例のように、切り欠きを形成せずに、接触部４３５を幅方向に広げてもよい。
【００６１】
以上、本発明の実施形態について説明したが、本発明は上記実施形態に限定されるものではなく、種々の変形実施が当業者にとって可能であるのはもちろんである。
【００６２】
上記実施形態では、複数の第１のハウジング２を配置して、挿入対象の第１のハウジング２とは別の第１のハウジング２の開口２ａの縁２３にレバー４の突出部４３を接触させていたが、これに限られず、第１のハウジング２を１つにして、これと一体的に設けられる被接触部にレバー４の突出部４３を接触させてもよい。
【００６３】
また、上記実施形態では、挿入対象の第１のハウジング２と長辺方向ｋに隣接する第１のハウジング２の開口２ａの縁２３にレバー４の突出部４３を接触させていたが、これに限られず、短辺方向ｗ又は斜め方向に隣接する第１のハウジング２の開口２ａの縁２３にレバー４の突出部４３を接触させてもよい。
【００６４】
なお、上記実施形態では、レバー４に突出部４３を設けていたが、これに限られず、第１のハウジング２に一体的に突出部を設けて、それをレバー４のアーム部４１やブリッジ部４４などに接触させてもよい。
【符号の説明】
【００６５】
１  コネクタ、２  第１のハウジング、２ａ  開口、２１  外郭部、２１１  長板部、２１２  短板部、２３  縁、２５  凸条部、２７  係止片、２７１  大径部、２７３  小径部、２９  端子、３  第２のハウジング、３１  挿入部、３１ｄ  凹条部、３３  背面カバー、３３１  係止片、３５  係止片、３７  軸部、４  レバー、４０ａ  軸穴、４１  アーム部、４２  作用部、４２ａ  係止溝、４２１  外側部、４２２  中間部、４２３  内側部、４２５  受入縁、４２６  受入縁、４２７  案内縁、４２８  案内縁、４２９  突起部、４３  突出部、４３ａ  溝、４３ｂ  切り欠き、４３１  補強部、４３２  接触部、４３３  補強部、４３４  補強部、４３５  接触部、４４  ブリッジ部、４４１  係止片、４５  指掛部、４７  係止部、４７１  弾性梁、４７３  係止片、５  カバー、９  ワイヤーハーネス。
【図１Ａ】
2015011978.tif 000003
【図１Ｂ】
2015011978.tif 000004
【図１Ｃ】
2015011978.tif 000005
【図２】
2015011978.tif 000006
【図３】
2015011978.tif 000007
【図４Ａ】
2015011978.tif 000008
【図４Ｂ】
2015011978.tif 000009
【図４Ｃ】
2015011978.tif 000010
【図５Ａ】
2015011978.tif 000011
【図５Ｂ】
2015011978.tif 000012